(57)【要約】【課題】良好な生産性が得られると共に、芯材を中心部分に配置させた高品質のゴム被覆網状成形体を得ること。【解決手段】補強芯材１２を網目状に配置した未加硫ゴム体１１上に載せる工程（図１（ａ），（ｂ））と、未加硫ゴム体１１の左右両端を内側に丸めて当該未加硫ゴム体１１で補強芯材１２をくるむ工程（図１（ｃ））と、補強芯材１２を未加硫ゴム体１１でくるんだ状態で、未加硫ゴム体１１を加硫成形する工程（図１（ｄ））を有する。【選択図】図１
2010076306.tif 000002
【特許請求の範囲】
【請求項１】
内部に網組みした補強芯材を有するゴム被覆網状成形体であって、
前記補強芯材を該補強芯材に沿った未加硫ゴム体でくるんだ状態で、該未加硫ゴム体を加硫成形したことを特徴とするゴム被覆網状成形体。
【請求項２】
前記補強芯材は、抗張力繊維の紐体を編網したことを特徴とする請求項１記載のゴム被覆網状成形体。
【請求項３】
内部に網組みした補強芯材を有するゴム被覆網状成形体の製造方法であって、
前記補強芯材を網目状に配置した前記未加硫ゴム体上に載せる工程と、
前記未加硫ゴム体の左右両端を内側に丸めて当該未加硫ゴム体で前記補強芯材をくるむ工程と、
前記補強芯材を該補強芯材に沿った未加硫ゴム体でくるんだ状態で、該未加硫ゴム体を加硫成形する工程と
を有することを特徴とするゴム被覆網状成形体の製造方法。
【請求項４】
網目状の成形型体内に前記未加硫ゴム体を配置し、該未加硫ゴム体上に網組みした前記補強芯材を載せることを特徴とする請求項３に記載されたゴム被覆網状成形体の製造方法。
【請求項５】
予備成形型に前記未加硫ゴム体を配置し、該未加硫ゴム体上に網組みした前記補強芯材を載せ、前記予備成形型内で前記補強芯材を前記未加硫ゴム体でくるみ、前記補強芯材を前記未加硫ゴム体でくるんだ状態の予備成形体を網目状の成形型体内に配置することを特徴とする請求項３に記載されたゴム被覆網状成形体の製造方法。
【発明の詳細な説明】
【技術分野】
【０００１】
本発明は、網組みした芯材をゴム被覆したゴム被覆網状成形体及びその製造方法に関するものである。
【背景技術】
【０００２】
自動車タイヤに取り付ける滑り止め具や土木資材の収容体或いは路面被覆材等に高強度の芯材をゴム被覆した網状成形体が用いられている。特に、滑り止め具の場合には、ゴム被覆を施すことで金属製のタイヤチェンに比べて消音効果があり、車体を傷つけない利点が得られる。
【０００３】
従来、前述したようなゴム被覆網状成形体は、プレス型表面に交差状の網目形成用凹溝を穿設し、この凹溝に下部に合成ゴム等の熱可塑性被覆材を収容し、次に、該凹部をガイドとしてこの熱可塑性被覆材上に紐状芯材を張り廻らしてプレス型内で網目を形成し、更にこの網目の上に熱可塑性被覆材を充填してプレス成形し、同時に加硫して形成するものである（下記特許文献１）。
【特許文献１】特公昭５８−１３３３７号公報
【発明の開示】
【発明が解決しようとする課題】
【０００４】
このような従来技術では、熱可塑性被覆材（未加硫ゴム等）の上に張り廻らせた紐状芯材がプレス成形時に型内で移動してしまい、成形体の中心部分に芯材が配置されない不具合があった。このように芯材が成形体の中心部分に配置されない場合には、被覆材の部分的な摩耗で芯材が露出しやすくなり、芯材をゴム被覆する効果（消音・緩衝効果や足場の柔軟性確保）が充分に得られない問題があった。
【０００５】
これを避けるためには、芯材を型内で保持するための保持手段が必要になり、プレス成形前に芯材を保持するための工程が必要になるので、良好な生産性が得られない問題があった。
【０００６】
本発明は、このような問題に対処するために提案されたものであって、良好な生産性が得られると共に、芯材を中心部分に配置させた高品質のゴム被覆網状成形体を得ることを目的とする。
【課題を解決するための手段】
【０００７】
このような目的を達成するために、本発明は以下の特徴を有する。
内部に網組みした補強芯材を有するゴム被覆網状成形体であって、前記補強芯材を該補強芯材に沿った未加硫ゴム体でくるんだ状態で、該未加硫ゴム体を加硫成形したことを特徴とする。
【０００８】
また、内部に網組みした補強芯材を有するゴム被覆網状成形体の製造方法であって、前記補強芯材を網目状に配置した前記未加硫ゴム体上に載せる工程と、前記未加硫ゴム体の左右両端を内側に丸めて当該未加硫ゴム体で前記補強芯材をくるむ工程と、前記補強芯材を該補強芯材に沿った未加硫ゴム体でくるんだ状態で、該未加硫ゴム体を加硫成形する工程とを有することを特徴とする。
【発明の効果】
【０００９】
このような特徴を有することで、本発明は、特に型内で補強芯材を保持しなくても成形体の中心部分に補強芯材を配置させることができる。これによって良好な生産性を得ながら高品質なゴム被覆網状成形体を得ることができる。
【発明を実施するための最良の形態】
【００１０】
以下、本発明の実施形態を図面に基づいて説明する。図１及び図２は、本発明の実施形態に係る製造方法及びそれによって形成されたゴム被覆網状成形体を示す説明図である。
【００１１】
図１に示した例では、図１（ａ）に示すように、成形型体１０（下型）の平面視網目状の型溝１０Ａ内に未加硫ゴム体１１を置き、図１（ｂ）に示すように、未加硫ゴム体１１の上に網組みされた補強芯材１２を載せる（第一工程）。未加硫ゴム体１１は、図３に示すように、平板状のものに型凸部に対応した開口１１Ｐを形成して網目状にしたもの（図３（ａ））、或いは帯状体１１Ａ，１１Ｂを交差配置させて網目状にしたもの（図３（ｂ））を採用することができる。
【００１２】
補強芯材１２は、成形体の引っ張り強度を補強するものであって、抗張力繊維又は金属材等で形成することができ、抗張力繊維や金属材の紐体を編網して網目状に形成している。図４は、紐材を編網する際の例を示した説明図である。図４（ａ）は、本目網と呼ばれる編み方で紐材１２Ａ，１２Ｂを編んでおり、図４（ｂ）は、蛙又網と呼ばれる編み方で紐材１２Ａ，１２Ｂを編んでおり、図４（ｃ）は、無結節網と呼ばれる編み方で紐材１２Ａ，１２Ｂを編んでおり、図４（ｄ）は、ラッセル網と呼ばれる編み方で紐材１２Ａ，１２Ｂを編んでいる。
【００１３】
図１（ｂ）の状態から図１（ｃ）に示すように、未加硫ゴム体１１の左右両端を内側に丸めて、未加硫ゴム体１１で補強芯材１２をくるむようにする（第二工程）。補強芯材１２の交差部分では図（ｃ）に示すようには補強芯材１２をくるむことはできないが、交差部分以外でくるんだ状態になっていればよい。
【００１４】
その後は、図１（ｄ）に示すように、補強芯材１２を未加硫ゴム体１１でくるんだ状態で、この未加硫ゴム体１１を加硫成形する（第三工程）。この際には、プレス板２０を成形型体１０上に押し当て加熱・加圧し、プレス成形することで、未加硫ゴム体１１から加硫ゴム成形体１１Ｓを得る。
【００１５】
図２に示した例は、未加硫ゴム体１１が型溝１０Ａの容積に満たない場合の例である。この例では、図２（ａ）に示すように、成形型体１０（下型）の型溝１０Ａ内に未加硫ゴム体１１を置き、図２（ｂ）に示すように、未加硫ゴム体１１の上に補強芯材１２を載せる。
【００１６】
その後、図２（ｂ）の状態から図２（ｃ）に示すように、未加硫ゴム体１１の左右両端を内側に丸めて、未加硫ゴム体１１で補強芯材１２をくるむようにし、更にその上に未加硫ゴム体１１’を被せる。この未加硫ゴム体１１’は図３に示すように、開口付きの平板体又は帯状体を交差配置したものを用いることができる。
【００１７】
その後は、図２（ｄ）に示すように、未加硫ゴム体１１，１１’を加硫成形する。この際には、プレス板２０を成形型体１０上に押し当て加熱・加圧し、プレス成形することで、未加硫ゴム体１１から加硫ゴム成形体１１Ｓを得る。
【００１８】
このような製造方法によると、図１（ｃ）又は図２（ｃ）に示したように、平面視網目状の型溝１０Ａ内で、未加硫ゴム体１１上に網組みした補強芯材１２を配置した後に、未加硫ゴム体１１の左右両端を丸めて未加硫ゴム体１１で補強芯材１２をくるむようにしたので、補強芯材１２が型溝１０Ａの中心部分に自ずと保持されることになり、その後のプレス成形で補強芯材１２が中心部分に配置されたゴム被覆網状成形体を得ることができる。図５は、このように形成されたゴム被覆網状成形体１を示した平面図である。図示のように、網状の補強芯材１２が加硫ゴム成形体１１Ｓの幅方向及び厚さ方向の中心部分に配置されることになる。
【００１９】
図６は、本発明の他の実施形態に係るゴム被覆網状成形体の製造方法を示した説明図である。ここでは、予備成形型（木型）３０を用いて、成形型体（金型）１０内に配置する前に予め補強芯材１２を未加硫ゴム体１１でくるんだ予備成形体を形成する。すなわち、予備成形型３０に未加硫ゴム体１１を配置し、未加硫ゴム体１１上に網組みした補強芯材１２を載せ、予備成形型３０内で補強芯材１２を未加硫ゴム体１１でくるみ、補強芯材１２を未加硫ゴム体１１でくるんだ状態の予備成形体を形成する（図６（ａ）参照）。その後、予備成形型３０から予備成形体を外して（図６（ｂ）参照）、この予備成形体を成形型体１０の型溝１０Ａ内に配置する（図６（ｃ）参照）。そして、成形型体１０を加熱してプレス板２０を成形型体１０に押しつけて加硫成形を行う（図６（ｄ））。
【００２０】
このような実施形態によると、成形型体１０を常時加熱した状態にして、順次予備成形体を成形型体１０に供給することができるので、効率的に加硫成形を行うことができ、生産性を向上させることができる。
【００２１】
本発明の実施形態に係るゴム被覆網状成形体２０は、自動車タイヤの滑り止め具，土木用被覆材，土木資材収容袋，路面被覆材，床材等に有効である。
【図面の簡単な説明】
【００２２】
【図１】本発明の実施形態に係る製造方法及びそれによって形成されたゴム被覆網状成形体を示す説明図である。
【図２】本発明の実施形態に係る製造方法及びそれによって形成されたゴム被覆網状成形体を示す説明図である。
【図３】未加硫ゴム体の説明図である。
【図４】補強芯材の説明図である。
【図５】成形されたゴム被覆網状成形体の平面図である。
【図６】本発明の他の実施形態に係る製造方法を示す説明図である。
【符号の説明】
【００２３】
１：ゴム被覆網状成形体，
１０：成形型体，１０Ａ：型溝，
１１，１１’：未加硫ゴム体，
１２：補強芯材，
２０：プレス板，
３０：予備成形型
【図１】
2010076306.tif 000003
【図２】
2010076306.tif 000004
【図３】
2010076306.tif 000005
【図４】
2010076306.tif 000006
【図５】
2010076306.tif 000007
【図６】
2010076306.tif 000008